(57)【要約】【課題】新規設置時における各種設定を効率的に実施可能とする。【解決手段】管理装置３００は、設置済みの通信機器１００ａの設置位置を示す第１位置情報を通信機器１００ａから受信し、新規設置される通信機器１００ｂの現在位置を示す第２位置情報を通信機器１００ｂから受信する。管理装置３００は、第１位置情報及び第２位置情報に基づいて、通信機器１００ａの設置位置から所定範囲内に通信機器１００ｂが位置するか否かを判定する。管理装置３００は、通信機器１００ａの設置位置から所定範囲内に通信機器１００ｂが位置すると判定された場合、通信機器１００ａに設定された設定情報と同じ設定情報を通信機器１００ｂに送信する。【選択図】図１
2020088698.tif 000002
【特許請求の範囲】
【請求項１】
設置済みの第１通信機器の設置位置を示す第１位置情報を前記第１通信機器から受信し、新規設置される第２通信機器の現在位置を示す第２位置情報を前記第２通信機器から受信する通信部と、
前記第１位置情報及び前記第２位置情報に基づいて、前記第１通信機器の設置位置から所定範囲内に前記第２通信機器が位置するか否かを判定する制御部と、を備え、
前記制御部は、前記第１通信機器の設置位置から前記所定範囲内に前記第２通信機器が位置すると判定された場合、前記第１通信機器に設定された設定情報と同じ設定情報を前記第２通信機器に送信するように前記通信部を制御する
管理装置。
【請求項２】
前記制御部は、前記第１位置情報が変化した場合に、変化前の前記第１位置情報と前記第２位置情報とに基づいて、前記第１通信機器の設置位置から所定範囲内に前記第２通信機器が位置するか否かを判定する
請求項１に記載の管理装置。
【請求項３】
前記制御部は、前記第１位置情報が取得できなくなった場合に、最後に取得された前記第１位置情報と前記第２位置情報とに基づいて、前記第１通信機器の設置位置から所定範囲内に前記第２通信機器が位置するか否かを判定する
請求項１に記載の管理装置。
【請求項４】
前記制御部は、前記第２位置情報が一定時間変化しない場合に、前記第１位置情報と前記第２位置情報とに基づいて、前記第１通信機器の設置位置から所定範囲内に前記第２通信機器が位置するか否かを判定する
請求項１乃至３のいずれか１項に記載の管理装置。
【請求項５】
前記制御部は、前記第２位置情報の取得を開始してから一定時間後に、前記第１位置情報と前記第２位置情報とに基づいて、前記第１通信機器の設置位置から所定範囲内に前記第２通信機器が位置するか否かを判定する
請求項１乃至３のいずれか１項に記載の管理装置。
【請求項６】
設置済みの前記第１通信機器が３つ以上存在する場合において、前記通信部は、前記３つ以上の第１通信機器のそれぞれから前記第１位置情報を受信し、
前記制御部は、前記３つ以上の第１通信機器に設定された設定情報が同じである場合、前記３つ以上の第１通信機器のそれぞれの前記第１位置情報と、前記第２位置情報とに基づいて、前記３つ以上の第１通信機器のそれぞれの設置位置を頂点とする多角形状の領域内に前記第２通信機器が位置するか否かを判定し、
前記制御部は、前記多角形状の領域内に前記第２通信機器が位置すると判定された場合、前記３つ以上の第１通信機器に設定された前記設定情報と同じ設定情報を前記第２通信機器に送信するように前記通信部を制御する
請求項１乃至５のいずれか１項に記載の管理装置。
【請求項７】
前記第１通信機器及び前記第２通信機器のそれぞれが位置情報を取得するためのセンサ以外に少なくとも１つのセンサを有する場合において、前記設定情報は、前記少なくとも１つのセンサにより得られる測定情報の送信タイミングを設定するための情報を含む
請求項１乃至６のいずれか１項に記載の管理装置。
【請求項８】
前記第１通信機器及び前記第２通信機器のそれぞれが位置情報を取得するための位置センサ以外に複数のセンサを有する場合において、前記設定情報は、前記複数のセンサのうち有効又は無効にするセンサを設定するための情報を含む
請求項１乃至７のいずれか１項に記載の管理装置。
【請求項９】
前記第１通信機器及び前記第２通信機器のそれぞれが無線ＬＡＮ通信の機能を有する場合において、前記設定情報は、前記無線ＬＡＮ通信の接続を設定するための情報を含む
請求項１乃至８のいずれか１項に記載の管理装置。
【請求項１０】
前記第１通信機器及び前記第２通信機器のそれぞれが屋外で用いられる場合において、前記第１位置情報及び前記第２位置情報のそれぞれは、ＧＮＳＳ位置情報を含む
請求項１乃至９のいずれか１項に記載の管理装置。
【請求項１１】
前記第１通信機器及び前記第２通信機器のそれぞれが屋内で用いられる場合において、前記第１位置情報及び前記第２位置情報のそれぞれは、無線ＬＡＮの受信信号強度、近接センサの測定情報、磁場センサの測定情報、気圧センサの測定情報、及び無線接続先の外部装置のうち、少なくとも１つを含む
請求項１乃至９のいずれか１項に記載の管理装置。
【請求項１２】
通信機器であって、
通信部と、
当該通信機器の現在位置を示す位置情報を取得するための位置センサと、
当該通信機器が新規設置される場合、前記位置センサを用いて取得された前記位置情報を管理装置に送信するように前記通信部を制御する制御部と、を備え、
前記位置情報の送信後、前記通信部は、当該通信機器の位置に設置されていた又は当該通信機器の周辺にある他の通信機器に設定された設定情報と同じ設定情報を前記管理装置から受信し、
前記制御部は、前記受信された設定情報を記憶し、前記記憶された設定情報に基づいて当該通信機器における動作を制御する
通信機器。
【請求項１３】
管理装置のための方法であって、
設置済みの第１通信機器の設置位置を示す第１位置情報を前記第１通信機器から受信するステップと、
新規設置される第２通信機器の現在位置を示す第２位置情報を前記第２通信機器から受信するステップと、
前記第１位置情報及び前記第２位置情報に基づいて、前記第１通信機器の設置位置から所定範囲内に前記第２通信機器が位置するか否かを判定するステップと、
前記第１通信機器の設置位置から前記所定範囲内に前記第２通信機器が位置すると判定された場合、前記第１通信機器に設定された設定情報を前記第２通信機器に送信するステップと、を備える
方法。
【請求項１４】
請求項１３に記載の方法を管理装置に実行させる
プログラム。
【請求項１５】
通信機器のための方法であって、
当該通信機器が新規設置される場合、当該通信機器の現在位置を示す位置情報を管理装置に送信するステップと、
前記位置情報の送信後、当該通信機器の位置に設置されていた又は当該通信機器の周辺にある他の通信機器に設定された設定情報と同じ設定情報を前記管理装置から受信するステップと、
前記受信された設定情報を記憶するステップと、
前記記憶された設定情報に基づいて当該通信機器の動作を制御するステップと、を備える
方法。
【請求項１６】
請求項１５に記載の方法を通信機器に実行させる
プログラム。
【発明の詳細な説明】
【技術分野】
【０００１】
本発明は、管理装置、通信機器、方法、及びプログラムに関する。
【背景技術】
【０００２】
特許文献１には、新規に設置された第１通信機器から所定範囲内に位置する第２通信機器の識別情報を第１通信機器から受信し、受信された識別情報に対応する設置位置をデータベースから検索し、検索された第２通信機器の設置位置に基づき第１通信機器の設置位置を予測及び表示する管理装置が記載されている。
【先行技術文献】
【特許文献】
【０００３】
【特許文献１】特開２００５−３１２０１７号公報
【発明の概要】
【発明が解決しようとする課題】
【０００４】
近年、ＩｏＴ（Ｉｎｔｅｒｎｅｔ  ｏｆ  Ｔｈｉｎｇｓ）技術の普及に伴い、通信機器が今後爆発的に増加することが予想される。通信機器は、その設置時に各種の設定を必要とされる場合がある。
【０００５】
しかしながら、ユーザが各通信機器についてマニュアルで設定情報を入力することは、多大な労力を要するだけではなく、設定情報の入力ミス等により通信機器が意図したとおりに動作しない等の問題を引き起こす懸念がある。
【０００６】
そこで、本発明は、新規設置時における各種設定を効率的に実施可能とする管理装置、通信機器、方法、及びプログラムを提供することを目的とする。
【課題を解決するための手段】
【０００７】
第１の態様に係る管理装置は、設置済みの第１通信機器の設置位置を示す第１位置情報を前記第１通信機器から受信し、新規設置される第２通信機器の現在位置を示す第２位置情報を前記第２通信機器から受信する通信部と、前記第１位置情報及び前記第２位置情報に基づいて、前記第１通信機器の設置位置から所定範囲内に前記第２通信機器が位置するか否かを判定する制御部とを備える。前記制御部は、前記第１通信機器の設置位置から前記所定範囲内に前記第２通信機器が位置すると判定された場合、前記第１通信機器に設定された設定情報と同じ設定情報を前記第２通信機器に送信するように前記通信部を制御する。
【０００８】
第２の態様に係る通信機器は、通信部と、当該通信機器の現在位置を示す位置情報を取得するための位置センサと、当該通信機器が新規設置される場合、前記位置センサを用いて取得された前記位置情報を管理装置に送信するように前記通信部を制御する制御部とを備える。前記位置情報の送信後、前記通信部は、当該通信機器の位置に設置されていた又は当該通信機器の周辺にある他の通信機器に設定された設定情報と同じ設定情報を前記管理装置から受信する。前記制御部は、前記受信された設定情報を記憶し、前記記憶された設定情報に基づいて当該通信機器における動作を制御する。
【０００９】
第３の態様に係る方法は、管理装置のための方法である。前記方法は、設置済みの第１通信機器の設置位置を示す第１位置情報を前記第１通信機器から受信するステップと、新規設置される第２通信機器の現在位置を示す第２位置情報を前記第２通信機器から受信するステップと、前記第１位置情報及び前記第２位置情報に基づいて、前記第１通信機器の設置位置から所定範囲内に前記第２通信機器が位置するか否かを判定するステップと、前記第１通信機器の設置位置から前記所定範囲内に前記第２通信機器が位置すると判定された場合、前記第１通信機器に設定された設定情報を前記第２通信機器に送信するステップとを備える。
【００１０】
第４の態様に係るプログラムは、第３の態様に係る方法を管理装置に実行させる。
【００１１】
第５の態様に係る方法は、通信機器のための方法である。前記方法は、当該通信機器が新規設置される場合、当該通信機器の現在位置を示す位置情報を管理装置に送信するステップと、前記位置情報の送信後、当該通信機器の位置に設置されていた又は当該通信機器の周辺にある他の通信機器に設定された設定情報と同じ設定情報を前記管理装置から受信するステップと、前記受信された設定情報を記憶するステップと、前記記憶された設定情報に基づいて当該通信機器の動作を制御するステップと、を備える。
【００１２】
第６の態様に係るプログラムは、第５の態様に係る方法を通信機器に実行させる。
【発明の効果】
【００１３】
本発明の一態様によれば、新規設置時における各種設定を効率的に実施可能とする管理装置、通信機器、方法、及びプログラムを提供できる。
【図面の簡単な説明】
【００１４】
【図１】一実施形態に係る通信システムの構成例を示す図である。
【図２】一実施形態に係る通信システムの他の構成例を示す図である。
【図３】一実施形態に係る通信機器の構成を示す図である。
【図４】一実施形態に係る管理装置の構成を示す図である。
【図５】一実施形態に係る設置機器情報を示す図である。
【図６】一実施形態に係る通信機器の動作を示す図である。
【図７】一実施形態に係る管理装置の動作を示す図である。
【図８】図２に示したシステム構成の変更例を示す図である。
【図９】一実施形態に係る管理装置の動作の変更例を示す図である。
【発明を実施するための形態】
【００１５】
図面を参照して実施形態について説明する。図面の記載において、同一又は類似の部分には同一又は類似の符号を付している。
【００１６】
（システム構成例）
図１は、一実施形態に係る通信システム１の構成例を示す図である。
【００１７】
図１に示すように、通信システム１は、複数の通信機器１００（通信機器１００ａ及び１００ｂ）と、通信ネットワーク２００と、管理装置３００とを有する。
【００１８】
各通信機器１００は、各種センサを有するセンサ機器であって、且つ通信ネットワーク２００を介して通信を行う通信機能を有する。例えば、各通信機器１００は、各種センサにより得られる測定情報を、通信ネットワーク２００を介して送信する。
【００１９】
各通信機器１００は、ＬＰＷＡ（Ｌｏｗ  Ｐｏｗｅｒ  Ｗｉｄｅ  Ａｒｅａ）方式の無線通信を通信ネットワーク２００と行う。ＬＰＷＡ方式は、消費電力を抑えつつ遠距離通信を実現する無線通信の方式である。
【００２０】
ＬＰＷＡ方式は、例えば、セルラＬＰＷＡ、ＳＩＧＦＯＸ、又はＬｏＲａＷＡＮである。セルラＬＰＷＡは、３ＧＰＰ（３ｒｄ  ｇｅｎｅｒａｔｉｏｎ  ｐａｒｔｎｅｒｓｈｉｐ  ｐｒｏｊｅｃｔ）規格において規定されたｅＭＴＣ（ｅｎｈａｎｃｅｄ  Ｍａｃｈｉｎｅ  Ｔｙｐｅ  Ｃｏｍｍｕｎｉｃａｔｉｏｎｓ）又はＮＢ−ＩｏＴ（Ｎａｒｒｏｗ  Ｂａｎｄ−Ｉｎｔｅｒｎｅｔ  ｏｆ  Ｔｈｉｎｇｓ）であってもよい。
【００２１】
各通信機器１００は、屋外又は屋内に設置されるセンサ機器である。各通信機器１００が屋外に設置される場合、各通信機器１００は、自機器に設けられるバッテリにより駆動される。各通信機器１００が屋内に設置される場合、各通信機器１００は、自機器に設けられるバッテリから供給される電力で駆動されてもよいし、商用電源（ＡＣ電源）から供給される電力で駆動されてもよい。
【００２２】
通信ネットワーク２００は、各通信機器１００との無線通信を行う基地局２１０Ａと、高域通信網（ＷＡＮ：Ｗｉｄｅ  Ａｒｅａ  Ｎｅｔｗｏｒｋ）とを含む。通信ネットワーク２００は、インターネットをさらに含んでもよい。
【００２３】
管理装置３００は、通信ネットワーク２００に接続されるサーバである。管理装置３００は、通信ネットワーク２００を介して各通信機器１００との通信を行うことにより、各通信機器１００を管理する。
【００２４】
一実施形態において、通信機器１００ａが設置済みである状況下において、通信機器１００ｂを新規に設置するシナリオを想定する。通信機器１００ａは第１の通信機器に相当し、通信機器１００ｂは第２の通信機器に相当する。以下において、新規設置される通信機器１００ｂを適宜「新たな通信機器１００ｂ」と呼ぶ。
【００２５】
第１のシナリオは、通信機器１００ａを新たな通信機器１００ｂと置き換える（入れ替える）シナリオである。例えば、通信機器１００ａの故障又はバッテリ交換時において、設置済みの通信機器１００ａを撤去し、通信機器１００ａが設置されていた設置位置に新たな通信機器１００ｂを設置する。通信機器１００ａの撤去とは、通信機器１００ａの設置位置から他の位置へ通信機器１００ａを移動することをいう。
【００２６】
第２のシナリオは、通信機器１００ａが設置された後、通信機器１００ａを維持したまま、新たな通信機器１００ｂを追加的に設置するシナリオである。例えば、測定対象のエリア（例えば、圃場又は工場等）を面的にカバーするために、設置済みの通信機器１００ａの周辺に通信機器１００ｂを新規設置する。
【００２７】
第１のシナリオ及び第２のシナリオにおいて、まず、管理装置３００は、設置済みの通信機器１００ａの設置位置を示す第１位置情報を通信機器１００ａから受信し、新規設置される通信機器１００ｂの現在位置を示す第２位置情報を通信機器１００ｂから受信する。ここで、「通信機器１００ａの設置位置」とは、通信機器１００ａが過去に設置されていた位置又は通信機器１００ａが現在設置されている位置をいう。
【００２８】
ここで、各通信機器１００が屋外で用いられる場合、位置情報（第１位置情報及び第２位置情報のそれぞれ）は、ＧＮＳＳ（Ｇｌｏｂａｌ  Ｎａｖｉｇａｔｉｏｎ  Ｓａｔｅｌｌｉｔｅ  Ｓｙｓｔｅｍ）位置情報を含んでもよい。
【００２９】
一方、各通信機器１００が屋内で用いられる場合、ＧＮＳＳ衛星からの信号が各通信機器１００に到達しないことがあるため、位置情報は、各通信機器１００の周辺環境に関する情報を含んでもよい。例えば、各通信機器１００が屋内で用いられる場合、位置情報（第１位置情報及び第２位置情報のそれぞれ）は、無線ＬＡＮの受信信号強度、近接センサの測定情報、磁場センサの測定情報、気圧センサの測定情報、及び無線接続先の外部装置のうち、少なくとも１つを含んでもよい。
【００３０】
次に、管理装置３００は、第１位置情報及び第２位置情報に基づいて、通信機器１００ａの設置位置から所定範囲内に通信機器１００ｂが位置するか否かを判定する。「通信機器１００ａの設置位置から所定範囲内に通信機器１００ｂが位置する」とは、通信機器１００ａの設置位置と同じ位置、又は通信機器１００ａの設置位置の周辺に通信機器１００ｂが位置していることをいう。ここで、「通信機器１００ａの設置位置と同じ位置」とは、位置情報の測定誤差（測定精度）を考慮して、通信機器１００ａの設置位置と同じとみなすことができる位置も含むものとする。
【００３１】
次に、管理装置３００は、通信機器１００ａの設置位置から所定範囲内に通信機器１００ｂが位置すると判定された場合、通信機器１００ａに設定された設定情報と同じ設定情報を通信機器１００ｂに送信する。すなわち、通信機器１００ｂは、通信機器１００ｂの位置に設置されていた通信機器１００ａ又は通信機器１００ｂの周辺にある通信機器１００ａに設定された設定情報と同じ設定情報を管理装置３００から受信する。そして、通信機器１００ｂは、管理装置３００から受信された設定情報を記憶し、記憶された設定情報に基づいて通信機器１００ｂにおける動作を制御する。
【００３２】
これにより、第１のシナリオ及び第２のシナリオにおいて、新規設置される通信機器１００ｂの設定情報として、通信機器１００ａの設定情報を流用することができる。このため、ユーザが通信機器１００ｂについてマニュアルで設定情報を入力する場合に比べて、ユーザの労力を軽減できるとともに、設定情報の入力ミス等の発生を防止できる。
【００３３】
なお、各通信機器１００が屋内に設置され、且つ無線ＬＡＮ通信の機能を有する場合、各通信機器１００は、ＬＰＷＡ通信に代えて、屋内に設置されたアクセスポイントとの無線ＬＡＮ通信を行ってもよい。図２は、他の構成例に係る通信システム１を示す図である。
【００３４】
図２に示すように、各通信機器１００は、施設内（屋内）に設置される。施設は、例えば、工場又は住宅等である。各通信機器１００は、施設内の通信ネットワーク２００に含まれるアクセスポイント２１０Ｂとの無線ＬＡＮ通信を行う。管理装置３００は、通信ネットワーク２００（アクセスポイント２１０Ｂ）を介して各通信機器１００との通信を行うことにより、各通信機器１００を管理する。
【００３５】
また、管理装置３００は、必ずしも専用のサーバでなくてもよい。管理装置３００は、機器管理用アプリケーションプログラムがインストールされた汎用の端末（例えばスマートフォン又はＰＣ等）であってもよい。
【００３６】
（通信機器の構成例）
図３は、一実施形態に係る通信機器１００の構成を示す図である。
【００３７】
図３に示すように、通信機器１００は、アンテナ１１０と、通信部１２０と、制御部１３０と、記憶部１４０と、電源管理部１５０と、位置センサ１６０と、各種センサ１７０と、操作部１８０と、表示部１９０とを有する。
【００３８】
アンテナ１１０は、無線信号の送受信に用いられる。通信部１２０は、通信ネットワーク２００を介して管理装置３００との通信を行う。一実施形態において、通信部１２０は、通信ネットワーク２００に含まれる基地局２１０ＡとのＬＰＷＡ通信を行うＬＰＷＡ通信部１２１及び／又は通信ネットワーク２００に含まれるアクセスポイント２１０Ｂとの無線ＬＡＮ通信を行う無線ＬＡＮ通信部１２２を含む。
【００３９】
ＬＰＷＡ通信部１２１及び無線ＬＡＮ通信部１２２は、アンテナ１１０が基地局２１０Ａから受信した無線信号に対して増幅処理及びフィルタ処理等を行い、無線信号をベースバンド信号に変換して制御部１３０に出力する。また、ＬＰＷＡ通信部１２１及び無線ＬＡＮ通信部１２２は、制御部１３０から入力されたベースバンド信号を無線信号に変換し、増幅処理等を行ってアンテナ１１０から送信する。
【００４０】
制御部１３０は、通信機器１００における各種の処理及び制御を行う。例えば、制御部１３０は、通信ネットワーク２００を介して管理装置３００との通信を行うように通信部１２０を制御する。制御部１３０は、位置情報を周期的に取得するように位置センサ１６０を制御するとともに、位置情報を周期的に管理装置３００に送信（アップロード）するように通信部１２０を制御してもよい。制御部１３０は、少なくとも１つのプロセッサを含む。プロセッサは、ベースバンドプロセッサと、ＣＰＵ（Ｃｅｎｔｒａｌ  Ｐｒｏｃｅｓｓｉｎｇ  Ｕｎｉｔ）とを含んでもよい。ベースバンドプロセッサは、ベースバンド信号の変調・復調及び符号化・復号等を行う。ＣＰＵは、記憶部１４０に記憶されたプログラムを実行して各種の処理を行う。
【００４１】
記憶部１４０は、揮発性メモリ及び不揮発性メモリを含む。記憶部１４０は、制御部１３０により実行されるプログラム、及び制御部１３０による処理に用いられる情報を記憶する。
【００４２】
記憶部１４０には、制御部１３０の制御下で、通信機器１００の機能及び動作を設定する設定情報が記憶される。
【００４３】
例えば、設定情報は、各種センサ１７０（少なくとも１つのセンサ）により得られる測定情報の送信タイミングを設定するための情報を含む。この情報は、各種センサ１７０により得られる測定情報を管理装置３００又は他のサーバにアップロードすべき時刻（例えば、１０時、１４時、１８時等）又は周期（例えば、１２時間、２４時間等）を設定する情報であってもよい。制御部１３０は、設定情報に応じて定まるタイミングにおいて、各種センサ１７０により得られる測定情報を、通信部１２０を介してアップロードする。
【００４４】
また、設定情報は、各種センサ１７０（複数のセンサ）のうち有効又は無効にするセンサを設定するための情報を含む。すなわち、この情報は、管理装置３００又は他のサーバにアップロードすべき測定情報の種類を設定する情報である。例えば、各種センサ１７０が温度センサ、湿度センサ、気圧センサ、磁場センサ（地磁気センサ）、及び加速度センサを含む場合において、アップロードすべき測定情報として温度及び湿度が設定される。この場合、制御部１３０は、設定情報に基づいて、湿度センサ及び気圧センサを有効（オン）にし、気圧センサ、磁場センサ、及び加速度センサを無効（オフ）にする。
【００４５】
さらに、設定情報には、制御部１３０により実行されるプログラムが含まれてもよい。プログラムは、制御プログラム（ファームウェア）であってもよいし、アプリケーションプログラムであってもよい。
【００４６】
また、記憶部１４０は、通信機器１００が管理装置３００にアクセスするために、管理装置３００のアドレス（例えば、ＩＰアドレス）を予め記憶している。さらに、記憶部１４０は、自機器を識別する機器識別情報（機器ＩＤ）を予め記憶している。
【００４７】
電源管理部１５０は、バッテリ及びその周辺回路を含む。電源管理部１５０は、通信機器１００の駆動電力を供給する。なお、通信機器１００が外部からの給電を受ける場合、電源管理部１５０は、外部から供給される電力を変換する回路により構成されてもよい。
【００４８】
位置センサ１６０は、通信機器１００の現在位置を示す位置情報を取得するためのセンサである。例えば、位置センサ１６０は、ＧＮＳＳ受信機を含んで構成される。ＧＮＳＳ受信機は、ＧＰＳ（Ｇｌｏｂａｌ  Ｐｏｓｉｔｉｏｎｉｎｇ  Ｓｙｓｔｅｍ）受信機、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）受信機、ＩＲＮＳＳ（Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ）受信機、ＣＯＭＰＡＳＳ受信機、Ｇａｌｉｌｅｏ受信機、ＱＺＳＳ（Ｑｕａｓｉ−Ｚｅｎｉｔｈ  Ｓａｔｅｌｌｉｔｅｓ  Ｓｙｓｔｅｍ）受信機等を含んでもよい。位置センサ１６０は、制御部１３０の制御下で位置情報を取得し、取得された位置情報（ＧＮＳＳ位置情報）を制御部１３０に出力する。
【００４９】
各種センサ１７０は、温度センサ、湿度センサ、気圧センサ、磁場センサ（地磁気センサ）、照度センサ、加速度センサ、近接センサのうち少なくとも１つを含む。各種センサ１７０は、撮像により画像を得るためのイメージセンサを含んでもよい。各種センサ１７０は、制御部１３０の制御下で測定を行い、測定により得られた測定情報を制御部１３０に出力する。
【００５０】
操作部１８０は、ユーザ操作を受け付けて、操作内容を示す信号を制御部１３０に出力する。例えば、操作部１８０は、通信機器１００の電源を投入又は遮断するための電源スイッチを含む。操作部１８０は、設定情報のマニュアル入力を受け付ける各種キー（各種ボタン）を含んでもよい。
【００５１】
表示部１９０は、制御部１３０の制御下で各種表示を行う。表示部１９０は、通信機器１００の現在の状態を表示するインジケータを含む。インジケータは、例えばＬＥＤにより構成される。表示部１９０は、液晶ディスプレイ、有機ＥＬディスプレイ、又は電子ペーパー等のディスプレイを含んでもよい。
【００５２】
（管理装置の構成例）
図４は、一実施形態に係る管理装置３００の構成を示す図である。
【００５３】
図４に示すように、管理装置３００は、通信部３１０と、制御部３２０と、記憶部３３０とを有する。
【００５４】
通信部３１０は、通信モジュールを含んで構成されており、通信ネットワーク２００を介して各通信機器１００との通信を行う。通信モジュールは、有線通信を行う通信モジュールであってもよいし、無線通信を行う通信モジュールであってもよい。
【００５５】
制御部３２０は、管理装置３００における各種の処理及び制御を行う。例えば、制御部３２０は、通信ネットワーク２００を介して各通信機器１００との通信を行うように通信部３１０を制御する。制御部３２０は、少なくとも１つのプロセッサを含む。プロセッサは、記憶部３３０に記憶されたプログラムを実行して各種の処理を行う。
【００５６】
記憶部３３０は、揮発性メモリ、不揮発性メモリ、及び補助記憶装置（ハードディスク等）を含む。記憶部３３０は、制御部３２０により実行されるプログラム、及び制御部３２０による処理に用いられる情報を記憶する。
【００５７】
例えば、記憶部３３０は、図５に示すような設置機器情報を記憶する。制御部３２０は、記憶部３３０に記憶される設置機器情報を管理する。図５に示すように、設置機器情報は、各設置済みの通信機器１００について、当該通信機器１００を識別する機器識別情報（機器ＩＤ）と、当該通信機器１００の設置位置を示す位置情報（すなわち、第１位置情報）と、当該通信機器１００に設定された設定情報とを含む。
【００５８】
制御部３２０は、新規設置される通信機器１００が検知され、新規設置される通信機器１００に対する設定が完了した際に、この通信機器１００に対応する情報を設置機器情報に追加する。
【００５９】
また、制御部３２０は、設置済みの通信機器１００が撤去されたことを検知しても、撤去された通信機器１００に対応する情報を設置機器情報に保持する。例えば、制御部３２０は、設置済みの通信機器１００から位置情報を取得できなくなった場合、この通信機器１００から最後に取得された位置情報を設置機器情報に保持する。制御部３２０は、設置済みの通信機器１００から受信した位置情報が前回の位置情報に対して変化した場合、変化前の位置情報を設置機器情報に保持する。
【００６０】
（通信機器の動作例）
図６は、一実施形態に係る通信機器１００の動作を示す図である。
【００６１】
図６に示すように、ステップＳ１１において、通信機器１００の操作部１８０は、通信機器１００の電源を投入する操作を受け付ける。これにより、通信機器１００の電源が投入される。通信機器１００の制御部１３０は、電源が投入されたことを表示部１９０（インジケータ）に表示させてもよい。
【００６２】
ステップＳ１２において、通信機器１００の制御部１３０は、自機器が設定済みであるか否か、すなわち、記憶部１４０に設定情報が記憶されているか否かを確認する。通信機器１００が新規設置される場合、自機器が未設定ということになる。自機器が設定済みである場合（ステップＳ１２：ＹＥＳ）、処理がステップＳ１９に進む。この場合、通信機器１００の制御部１３０は、設定済みであることを表示部１９０（インジケータ）に表示させてもよい。
【００６３】
一方、自機器が未設定である場合（ステップＳ１２：ＮＯ）、ステップＳ１３において、通信機器１００の制御部１３０は、位置情報（ＧＮＳＳ位置情報）を取得するように位置センサ１６０を制御する。
【００６４】
ステップＳ１４において、通信機器１００の制御部１３０は、ステップＳ１３で取得された位置情報と、自機器の機器識別情報とを管理装置３００に送信（アップロード）するように通信部１２０を制御する。
【００６５】
なお、通信機器１００の制御部１３０は、ステップＳ１３において位置情報を周期的に取得するように位置センサ１６０を制御し、ステップＳ１４において位置情報及び機器識別情報を周期的に管理装置３００に送信するように通信部１２０を制御してもよい。
【００６６】
ステップＳ１５において、通信機器１００の制御部１３０は、通信部１２０が管理装置３００から設定情報を受信したか否かを確認する。管理装置３００から設定情報を受信した場合（ステップＳ１５：ＹＥＳ）、ステップＳ１６において、通信機器１００の制御部１３０は、受信された設定情報を記憶する（すなわち、設定情報を記憶部１４０に記憶させる）。その後、処理がステップＳ１９に進む。この場合、通信機器１００の制御部１３０は、設定済みであることを表示部１９０（インジケータ）に表示させてもよい。
【００６７】
一方、管理装置３００から設定情報を受信しない場合（ステップＳ１５：ＮＯ）、ステップＳ１７において、通信機器１００の制御部１３０は、自動的な設定が不可であると判断し、マニュアルでの設定が必要であることを表示部１９０に表示させる。この場合、例えば、通信機器１００の操作部１８０が設定情報のマニュアル入力を受け付け付けるとともに、通信機器１００の制御部１３０は、入力された設定情報を記憶する（すなわち、設定情報を記憶部１４０に記憶させる）。
【００６８】
そして、ステップＳ１８において、通信機器１００の制御部１３０は、ステップＳ１７で設定された設定情報と、自機器の機器識別情報とを管理装置３００に送信（アップロード）するように通信部１２０を制御する。その後、処理がステップＳ１９に進む。
【００６９】
或いは、ステップＳ１７において、ユーザがＰＣ等の端末を用いて管理装置３００（例えば、管理装置３００が管理する機器設定用Ｗｅｂサイト）にアクセスし、この端末上でマニュアル入力された設定情報を、管理装置３００経由で通信機器１００に送信及び設定してもよい。この場合、ステップＳ１８を不要としてもよい。
【００７０】
ステップＳ１９において、通信機器１００の制御部１３０は、記憶部１４０に記憶された設定情報に基づいて自機器における動作を制御する。例えば、通信機器１００の制御部１３０は、記憶部１４０に記憶された設定情報に応じて定まるタイミングにおいて、各種センサ１７０により得られる測定情報を、通信部１２０を介してアップロードする。また、通信機器１００の制御部１３０は、記憶部１４０に記憶された設定情報に基づいて、各種センサ１７０（複数のセンサ）のうち一部のセンサを有効（オン）にする。
【００７１】
（管理装置の動作例）
図７は、一実施形態に係る管理装置３００の動作を示す図である。
【００７２】
図７に示すように、ステップＳ２１において、管理装置３００の通信部３１０は、通信機器１００の位置を示す位置情報と、この通信機器１００の機器識別情報とを、この通信機器１００から受信する。
【００７３】
ステップＳ２２において、管理装置３００の制御部３２０は、ステップＳ２１で通信機器１００から受信した情報と、記憶部３３０に記憶された設置機器情報とに基づいて、この通信機器１００が新規設置される通信機器１００であるか否かを確認する。例えば、管理装置３００の制御部３２０は、通信部３１０が受信した機器識別情報が記憶部３３０に記憶された設置機器情報に存在しない場合、この通信機器１００が新規設置される通信機器１００（新たな通信機器１００）であると判断する。
【００７４】
新規設置される通信機器１００である場合（ステップＳ２２：ＹＥＳ）、ステップＳ２３において、管理装置３００の制御部３２０は、記憶部３３０に記憶された設置機器情報に含まれる位置情報（すなわち、第１位置情報）と、ステップＳ２１で受信した位置情報（すなわち、第２位置情報）とに基づいて、新たな通信機器１００が、設置済みの他の通信機器の設置位置から所定範囲内に位置するか否かを判定する。
【００７５】
なお、上述した第１のシナリオにおいては、設置済みの他の通信機器が撤去された後に、その設置位置に新たな通信機器１００が設置されることになる。このため、設置済みの他の通信機器が撤去されたことが確認された後に、ステップＳ２３の判定を行ってもよい。例えば、管理装置３００の制御部３２０は、設置済みの他の通信機器の第１位置情報が変化した場合、具体的には、前回受信した第１位置情報に対して今回受信した第１位置情報が変化した場合、変化前の第１位置情報と、第２位置情報とに基づいて、ステップＳ２３の判定を行ってもよい。或いは、管理装置３００の制御部３２０は、設置済みの他の通信機器から第１位置情報が取得できなくなった場合に、最後に取得された第１位置情報と第２位置情報とに基づいて、ステップＳ２３の判定を行ってもよい。このように、管理装置３００の制御部３２０は、設置済みの他の通信機器が撤去される前の設置位置から所定範囲内に新たな通信機器１００が位置するか否かを判定する。
【００７６】
さらに、新たな通信機器１００が設置される前に新たな通信機器１００の電源が投入された場合、新たな通信機器１００の本来の設置位置に対応する設定情報とは異なる設定情報が新たな通信機器１００に対して設定されてしまう虞がある。このため、新たな通信機器１００が設置されたことが確認された後に、ステップＳ２３の判定を行ってもよい。管理装置３００の制御部３２０は、第２位置情報が一定時間変化しない場合、例えば、前回受信した第２位置情報に対して今回受信した第２位置情報が変化していない場合、第１位置情報と第２位置情報とに基づいて、ステップＳ２３の判定を行ってもよい。或いは、管理装置３００の制御部３２０は、第２位置情報の取得を開始してから一定時間後に、第１位置情報及び第２位置情報に基づいて、ステップＳ２３の判定を行ってもよい。このように、管理装置３００の制御部３２０は、新たな通信機器１００が設置されたとみなされるタイミング（或いはユーザが通信機器１００が設置されたとみなされることを望んでいる蓋然性が高いタイミング）まで待って、ステップＳ２３の判定を行う。
【００７７】
ステップＳ２３で「ＹＥＳ」である場合、ステップＳ２４において、管理装置３００の制御部３２０は、記憶部３３０に記憶された設置機器情報に基づいて、新たな通信機器１００の位置に設置されていた他の通信機器又は新たな通信機器１００の周辺にある他の通信機器に設定された設定情報と同じ設定情報を、管理装置３００の通信部３１０を介して新たな通信機器１００に送信する。
【００７８】
一方、ステップＳ２３で「ＮＯ」である場合、新たな通信機器１００にはマニュアルで設定情報が入力されることになる。この場合、ステップＳ２５において、管理装置３００の通信部３１０は、マニュアルで設定された設定情報と、新たな通信機器１００の機器識別情報とを新たな通信機器１００から受信する。但し、ユーザがＰＣ等の端末を用いて管理装置３００にアクセスし、この端末上でマニュアル入力された設定情報を、管理装置３００経由で新たな通信機器１００に送信及び設定する場合、ステップＳ２５を不要としてもよい。
【００７９】
ステップＳ２６において、管理装置３００の制御部３２０は、新たな通信機器１００から受信した機器識別情報及び位置情報（第２位置情報）と、新たな通信機器１００に送信した設定情報又は新たな通信機器１００から受信した設定情報とからなる追加の設置機器情報を管理装置３００の記憶部３３０に記憶させる。
【００８０】
（システム構成の変更例）
図２に示したシステム構成例において、新規設置される通信機器１００ｂには、無線ＬＡＮ通信を行うための設定情報（ネットワーク情報）が予め設定されていることを想定していた。新規設置される通信機器１００ｂにネットワーク情報が設定されていない場合、管理装置３００が通信機器１００ｂにネットワーク情報を送信することにより、ネットワーク情報を通信機器１００ｂに設定してもよい。
【００８１】
図８は、図２に示したシステム構成の変更例を示す図である。
【００８２】
図８に示すように、管理装置３００は、設置済みの通信機器１００ａの設置位置を示す第１位置情報を、アクセスポイント２１０Ｂを介して通信機器１００ａから受信する。管理装置３００は、無線ＬＡＮ通信以外の通信手段、例えば、ブルートゥース（登録商標。以下、「ＢＴ」と呼ぶ）を介して、新規設置される通信機器１００ｂの現在位置を示す第２位置情報を通信機器１００ｂから受信する。
【００８３】
次に、管理装置３００は、第１位置情報及び第２位置情報に基づいて、通信機器１００ａの設置位置から所定範囲内に通信機器１００ｂが位置するか否かを判定する。そして、管理装置３００は、通信機器１００ａの設置位置から所定範囲内に通信機器１００ｂが位置すると判定された場合、通信機器１００ａに設定された設定情報と同じ設定情報を通信機器１００ｂに送信する。
【００８４】
ここで、設定情報は、無線ＬＡＮ通信の接続を設定するためのネットワーク情報を含む。ネットワーク情報は、例えば、アクセスポイント２１０Ｂの識別情報（ＳＳＩＤ）と、アクセスポイント２１０Ｂにアクセスするための認証コード（パスワード）とを含む。
【００８５】
そして、通信機器１００ｂは、管理装置３００から受信された設定情報（ネットワーク情報）を記憶し、記憶された設定情報に基づいて通信機器１００ｂにおける動作を制御する。具体的には、通信機器１００ｂは、管理装置３００から受信されたネットワーク情報に基づいて、アクセスポイント２１０Ｂとの接続を設定する。
【００８６】
（管理装置の動作の変更例）
上述した実施形態において、設置済みの通信機器１００ａを新たな通信機器１００ｂと置き換える第１のシナリオを主として想定していた。
【００８７】
しかしながら、測定対象のエリア（例えば、圃場又は工場等）を面的にカバーするために、設置済みの通信機器１００ａに新たな通信機器１００ｂを追加する第２のシナリオにおいては、管理装置３００は次のような動作を行ってもよい。図９は、管理装置３００の動作の変更例を示す図である。
【００８８】
図９に示すように、設置済みの通信機器１００ａが３つ以上存在する場合において、まず、管理装置３００の通信部３１０は、３つ以上の通信機器１００ａのそれぞれから第１位置情報を受信する。また、管理装置３００の通信部３１０は、新たな通信機器１００ｂから第２位置情報を受信する。
【００８９】
次に、管理装置３００の制御部３２０は、３つ以上の通信機器１００ａに設定された設定情報が同じである場合、３つ以上の通信機器１００ａのそれぞれの第１位置情報と、第２位置情報とに基づいて、３つ以上の通信機器１００ａのそれぞれの設置位置を頂点とする多角形状の領域（領域Ａ）内に新たな通信機器１００ｂが位置するか否かを判定する。
【００９０】
そして、管理装置３００の制御部３２０は、多角形状の領域（領域Ａ）内に通信機器１００ｂが位置すると判定された場合、３つ以上の通信機器１００ａに設定された設定情報と同じ設定情報を新たな通信機器１００ｂに送信する。これにより、新たな通信機器１００ｂには、３つ以上の通信機器１００ａに設定された設定情報と同じ設定情報が設定される。
【００９１】
なお、図９において、設置済みの通信機器１００ａが３つである一例を示している。例えば、測定対象のエリア（例えば、圃場又は工場等）が三角形状である場合、まず、この三角形状のエリアの各頂点付近に通信機器１００ａ（合計３つ）を設置する。次に、この三角形状のエリアの内部に新たな通信機器１００ｂを順次追加的に設置する。３つの通信機器１００ａの設置時にはマニュアルでの設定が必要であるが、新たな通信機器１００ｂの設定は全て自動で行われる。
【００９２】
或いは、測定対象のエリア（例えば、圃場又は工場等）が四角形状である場合、まず、この四角形状のエリアの各頂点付近に通信機器１００ａ（合計４つ）を設置する。次に、この四角形状のエリアの内部に新たな通信機器１００ｂを順次追加的に設置する。４つの通信機器１００ａの設置時にはマニュアルでの設定が必要であるが、新たな通信機器１００ｂの設定は全て自動で行われる。
【００９３】
本変更例に係る管理装置３００の動作は、上述した実施形態に係る管理装置３００の動作と組み合わせて実施可能である。
【００９４】
例えば、上述した実施形態に係る管理装置３００の動作において、新たな通信機器１００ｂに対する設定を自動で行うことが不可であると判断された場合に、本変更例に係る管理装置３００の動作を行ってもよい。
【００９５】
或いは、本変更例に係る管理装置３００の動作を先に行い、この動作において、新たな通信機器１００ｂに対する設定を自動で行うことが不可であると判断された場合に、上述した実施形態に係る管理装置３００の動作を行ってもよい。
【００９６】
（その他の実施形態）
上述した実施形態において、各通信機器１００が、各種センサを有するセンサ機器である一例について説明した。しかしながら、各通信機器１００は、センサ機器に限定されるものではなく、通信機能を有しており、且つ、ある位置に設置される機器であればどのような機器であってもよい。例えば、各通信機器１００は、通信機能を有する家電機器や、通信機能を有する分散電源（発電機器又は蓄電機器）、通信機能を有する産業機器等であってもよい。
【００９７】
通信機器１００又は管理装置３００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。また、通信機器１００又は管理装置３００が行う各処理を実行する機能部（回路）を集積化し、通信機器１００又は管理装置３００を半導体集積回路（チップセット、ＳｏＣ）として構成してもよい。
【００９８】
以上、図面を参照して実施形態について詳しく説明したが、具体的な構成は上述のものに限られることはなく、要旨を逸脱しない範囲内において様々な設計変更等をすることが可能である。
【符号の説明】
【００９９】
１        ：通信システム
１００    ：通信機器
１１０    ：アンテナ
１２０    ：通信部
１２１    ：ＬＰＷＡ通信部
１２２    ：無線ＬＡＮ通信部
１３０    ：制御部
１４０    ：記憶部
１５０    ：電源管理部
１６０    ：位置センサ
１７０    ：センサ
１８０    ：操作部
１９０    ：表示部
２００    ：通信ネットワーク
２１０Ａ  ：基地局
２１０Ｂ  ：アクセスポイント
３００    ：管理装置
３１０    ：通信部
３２０    ：制御部
３３０    ：記憶部
【図１】
2020088698.tif 000003
【図２】
2020088698.tif 000004
【図３】
2020088698.tif 000005
【図４】
2020088698.tif 000006
【図５】
2020088698.tif 000007
【図６】
2020088698.tif 000008
【図７】
2020088698.tif 000009
【図８】
2020088698.tif 000010
【図９】
2020088698.tif 000011